(57)【要約】【課題】  本発明の目的は、表示部にライブビュー画像を表示しているときの電力の消費を低減することである。【解決手段】  撮像部から取得したライブビュー画像を表示部に表示するように制御する表示制御手段と、前記表示部に前記ライブビュー画像が表示されている際に、前記表示部に第１の項目を表示する指示を受け付ける受付手段と、前記表示部に前記第１項目が表示されている場合には、前記表示部に前記第１の項目が表示されていない場合よりも、前記ライブビュー画像の表示のフレームレートを小さくするように制御する制御手段とを有することを特徴とする。【選択図】  図６
2020178273.tif 000002
【特許請求の範囲】
【請求項１】
撮像部から取得したライブビュー画像を表示部に表示するように制御する表示制御手段と、
前記表示部に前記ライブビュー画像が表示されている際に、前記表示部に第１の項目を表示する指示を受け付ける受付手段と、
前記表示部に前記第１項目が表示されている場合には、前記表示部に前記第１の項目が表示されていない場合よりも、前記ライブビュー画像の表示のフレームレートを小さくするように制御する制御手段とを有することを特徴とする表示制御装置。
【請求項２】
撮像部から取得したライブビュー画像を表示部に表示するように制御する表示制御手段と、
前記表示部へのユーザからの視線を検出する検出手段と、
前記表示部に表示されている第１項目へのユーザの視線が検出されている場合には、前記表示部に表示されている前記第１の項目へのユーザの視線が検出されていない場合よりも、前記ライブビュー画像の表示のフレームレートを小さくするように制御する制御手段とを有することを特徴とする表示制御装置。
【請求項３】
撮像部から取得したライブビュー画像を表示部に表示するように制御する表示制御手段と、
前記表示部に前記ライブビュー画像が表示されている際に、前記表示部に第１の項目または第２の項目を選択可能な選択手段と、
前記選択手段により前記第１項目が選択された場合には、前記選択手段により前記第２の項目が選択された場合よりも、前記ライブビュー画像の表示のフレームレートを小さくするように制御する制御手段とを有することを特徴とする表示制御装置。
【請求項４】
前記表示部に前記ライブビュー画像が表示されている際に、前記表示部に前記第１の項目と前記第２の項目を表示する指示を受け付ける受付手段とをさらに有し、
前記制御手段は、前記表示部に前記第１項目が表示されている場合には、前記表示部に前記第１の項目が表示されていない場合よりも、前記ライブビュー画像の表示のフレームレートを小さくするように制御することを特徴とする請求項３に記載の表示制御装置。
【請求項５】
前記表示部へのユーザからの視線を検出する検出手段をさらに有し、
前記制御手段は、前記表示部に表示されている第１項目へのユーザの視線が検出されている場合には、前記表示部に表示されている前記第１の項目へのユーザの視線が検出されていない場合よりも、前記ライブビュー画像の表示のフレームレートを小さくするように制御することを特徴とする請求項１、３、４のいずれか１項に記載の表示制御装置。
【請求項６】
前記第１の項目は、前記表示部に表示されているライブビュー画像の画質に関する設定項目であることを特徴とする請求項１乃至５のいずれか１項に記載の表示制御装置。
【請求項７】
前記第１の項目は、記録画質、ホワイトバランス、ピクチャースタイル、ＩＳＯ感度、シャッタースピードのいずれか１つであることを特徴とする請求項１乃至６のいずれか１項に記載の表示制御装置。
【請求項８】
前記第２の項目は、ＡＦ方式、セルフタイマ、アスペクト比、測光モードのいずれか１つに関する項目であることを特徴とする請求項１乃至７のいずれか１項に記載の表示制御装置。
【請求項９】
前記制御手段は、前記表示部から前記第１の項目が表示されなくなったことに応じて、前記ライブビュー画像の表示のフレームレートを大きくするように制御することを特徴とする請求項１乃至８のいずれか１項に記載の表示制御装置。
【請求項１０】
前記制御手段は、前記撮像部が前記ライブビュー画像を取得するフレームレートを変更する、または前記表示部の表示の更新のフレームレートを変更することで、前記ライブビュー画像の表示のフレームレートを変更するように制御することを特徴とする請求項１乃至９のいずれか１項に記載の表示制御装置。
【請求項１１】
前記制御手段は、前記第１の項目へユーザが注視している時間が長くなっていることに応じて、前記表示部における前記ライブビュー画像の表示のフレームレートを小さくするように制御することを特徴とする請求項１乃至１０のいずれか１項に記載の表示制御装置。
【請求項１２】
前記制御手段は、前記ライブビュー画像へユーザが注視している時間が長くなっていることに応じて、前記表示部における前記ライブビュー画像の表示のフレームレートを大きくするように制御することを特徴とする請求項１乃至１１のいずれか１項に記載の表示制御装置。
【請求項１３】
前記制御手段は、前記表示部における前記ライブビュー画像の表示のフレームレートを変更する場合に、前記撮像部から読み出す画像の情報量を減らすことを特徴とする請求項１乃至１２のいずれか１項に記載の表示制御装置。
【請求項１４】
撮像部から取得したライブビュー画像を表示部に表示するように制御する表示制御ステップと、
前記表示部に前記ライブビュー画像が表示されている際に、前記表示部に第１の項目を表示する指示を受け付ける受付ステップと、
前記表示部に前記第１項目が表示されている場合には、前記表示部に前記第１の項目が表示されていない場合よりも、前記ライブビュー画像の表示のフレームレートを小さくするように制御する制御ステップとを有することを特徴とする表示制御装置の制御方法。
【請求項１５】
撮像部から取得したライブビュー画像を表示部に表示するように制御する表示制御ステップと、
前記表示部へのユーザからの視線を検出する検出ステップと、
前記表示部に表示されている第１項目へのユーザの視線が検出されている場合には、前記表示部に表示されている前記第１の項目へのユーザの視線が検出されていない場合よりも、前記ライブビュー画像の表示のフレームレートを小さくするように制御する制御ステップとを有することを特徴とする表示制御装置の制御方法。
【請求項１６】
撮像部から取得したライブビュー画像を表示部に表示するように制御する表示制御ステップと、
前記表示部に前記ライブビュー画像が表示されている際に、前記表示部に第１の項目または第２の項目を選択可能な選択ステップと、
前記選択ステップにおいて前記第１項目が選択された場合には、前記選択ステップにおいて前記第２の項目が選択された場合よりも、前記ライブビュー画像の表示のフレームレートを小さくするように制御する制御ステップとを有することを特徴とする表示制御装置の制御方法。
【請求項１７】
コンピュータを、請求項１乃至１２のいずれか１項に記載された表示制御装置の各手段として機能させるためのプログラム。
【請求項１８】
コンピュータを、請求項１乃至１２のいずれか１項に記載された表示制御装置の各手段として機能させるためのプログラムを格納したコンピュータが読み取り可能な記録媒体。
【発明の詳細な説明】
【技術分野】
【０００１】
本発明は、表示制御装置、及びその制御方法に関し、特にライブビュー画像を表示する技術に関するものである。
【背景技術】
【０００２】
従来より、デジタルカメラ等のライブビュー画像の表示において、表示フレームレートを速くすることで、被写体の実際の動きに近いように表示をすることができることが知られている。
【０００３】
特許文献１には、起動時には、高速フレームレートで撮像部の動作を開始させ、被写体の移動量が第１の閾値以下であると判定された場合に、通常フレームレートを用いた通常駆動モードに設定をすることが開示されている。
【先行技術文献】
【特許文献】
【０００４】
【特許文献１】特開２０１７−１３９６４１号公報
【発明の概要】
【発明が解決しようとする課題】
【０００５】
特許文献１では、ユーザがライブビュー画像以外の表示部上の表示を見ているときにも、高速フレームレートでの表示を行うことがあるため、電力の消費が低減されない可能性がある。
【０００６】
本発明は、上記の課題に鑑み、表示部にライブビュー画像を表示しているときの電力の消費を低減することのできる表示制御装置の提供を目的とする。
【課題を解決するための手段】
【０００７】
上記目的を達成するために、本発明の表示制御装置は、撮像部から取得したライブビュー画像を表示部に表示するように制御する表示制御手段と、前記表示部に前記ライブビュー画像が表示されている際に、前記表示部に第１の項目を表示する指示を受け付ける受付手段と、前記表示部に前記第１項目が表示されている場合には、前記表示部に前記第１の項目が表示されていない場合よりも、前記ライブビュー画像の表示のフレームレートを小さくするように制御する制御手段とを有することを特徴とする。
【発明の効果】
【０００８】
本発明によれば、表示部にライブビュー画像を表示しているときの電力の消費を低減することができる。
【図面の簡単な説明】
【０００９】
【図１】本実施形態に係るデジタルカメラ１００の外観図。
【図２】本実施形態に係るデジタルカメラ１００のハードウェア構成例を示す概略ブロック図。
【図３】本実施形態に係る撮像部２２のハードウェア構成例を示す概略ブロック図。
【図４】本実施形態に係る撮像部２２の読み出しのタイミングを説明するための図。
【図５】本実施形態の表示部における表示例を示す図。
【図６】本実施形態におけるライブビュー画像の表示制御処理を示すフローチャート。
【発明を実施するための形態】
【００１０】
以下、図面を参照して本発明の好適な実施形態を説明する。
【００１１】
図１（ａ）、（ｂ）に本発明を適用可能な装置の一例としてのデジタルカメラ１００の外観図を示す。図１（ａ）はデジタルカメラ１００の前面斜視図であり、図１（ｂ）はデジタルカメラ１００の背面斜視図である。図１において、表示部２８は画像や各種情報を表示する、カメラ背面に設けられた表示部である。
【００１２】
タッチパネル７０ａは、表示部２８の表示面（操作面）に対するタッチ操作を検出することができる。ファインダー外表示部４３は、カメラ上面に設けられた表示部であり、シャッター速度や絞りをはじめとするカメラの様々な設定値が表示される。
【００１３】
シャッターボタン６１は撮影指示を行うための操作部である。モード切替スイッチ６０は各種モードを切り替えるための操作部である。
【００１４】
クイック設定ボタン７０ｃ（以下、Ｑボタン７０ｃ）は、操作部７０に含まれる押しボタンスイッチであり、押下することで、各動作モードにおいて設定可能な設定項目の一覧であるクイック設定メニューが表示される。例えばＬＶ表示中に押下されると、ＡＦ設定、連写設定、記録画質、モニターの明るさ、ＬＶ表示画面のＷＢ（ホワイトバランス）、色合いなどの設定項目の一覧がＬＶに重畳して表示される。ユーザは表示されたクイック設定メニューの内、任意の選択肢をタッチパネル７０ａや、十字キー７４とＳＥＴボタン７５などを使用することで、選択した設定項目に関する設定変更や動作モードへの移行を行うことができる。
【００１５】
端子カバー４０は外部機器との接続ケーブルとデジタルカメラ１００とを接続するコネクタ（不図示）を保護するカバーである。
【００１６】
メイン電子ダイヤル７１は操作部７０に含まれる回転操作部材であり、このメイン電子ダイヤル７１を回すことで、シャッター速度や絞りなどの設定値の変更等が行える。
【００１７】
電源スイッチ７２はデジタルカメラ１００の電源のＯＮ及びＯＦＦを切り替える操作部材である。サブ電子ダイヤル７３は操作部７０に含まれる回転操作部材であり、選択枠の移動や画像送りなどを行える。
【００１８】
十字キー７４は操作部７０に含まれ、上、下、左、右部分をそれぞれ押し込み可能な十字キー（４方向キー）である。十字キー７４の押した部分に応じた操作が可能である。ＳＥＴボタン７５は操作部７０に含まれ、押しボタンであり、主に選択項目の決定などに用いられる。
【００１９】
動画ボタン７６は、動画撮影（記録）の開始、停止の指示に用いられる。ＡＥロックボタン７７は操作部７０に含まれ、撮影待機状態で押下することにより、露出状態を固定することができる。拡大ボタン７８は操作部７０に含まれ、撮影モードのライブビュー表示において拡大モードのＯＮ、ＯＦＦを行うための操作ボタンである。拡大モードをＯＮとしてからメイン電子ダイヤル７１を操作することにより、ライブビュー画像の拡大、縮小を行える。再生モードにおいては再生画像を拡大し、拡大率を増加させるための拡大ボタンとして機能する。再生ボタン７９は操作部７０に含まれ、撮影モードと再生モードとを切り替える操作ボタンである。撮影モード中に再生ボタン７９を押下することで再生モードに移行し、後述する記録媒体２００に記録された画像のうち最新の画像を表示部２８に表示させることができる。
【００２０】
メニューボタン８１は、操作部７０に含まれ、押下することにより各種の設定可能なメニュー画面が表示部２８に表示される。ユーザは、表示部２８に表示されたメニュー画面と、十字キー７４やＳＥＴボタン７５を用いて直感的に各種設定を行うことができる。
【００２１】
通信端子１０はデジタルカメラ１００がレンズユニット１５０（着脱可能）と通信を行う為の通信端子である。
【００２２】
接眼部１６は、接眼ファインダー（覗き込み型のファインダー）の接眼部であり、ユーザは、接眼部１６を介して後述する内部のＥＶＦ２９に表示された映像を視認することができる。接眼検知部５７は接眼部１６に物体が接近しているか否かを検知するセンサーである。
【００２３】
蓋２０２は記録媒体２００を格納したスロットの蓋である。
【００２４】
グリップ部９０は、ユーザがデジタルカメラ１００を構えた際に右手で握りやすい形状とした保持部である。グリップ部９０を右手の小指、薬指、中指で握ってデジタルカメラを保持した状態で、右手の人差指で操作可能な位置にシャッターボタン６１、メイン電子ダイヤル７１が配置されている。また、同じ状態で、右手の親指で操作可能な位置に、サブ電子ダイヤル７３が配置されている。
【００２５】
図２は、本実施形態によるデジタルカメラ１００の構成例を示すブロック図である。図２において、レンズユニット１５０は、交換可能な撮影レンズを搭載するレンズユニットである。レンズ１０３は通常、複数枚のレンズから構成されるが、ここでは簡略して一枚のレンズのみで示している。通信端子６はレンズユニット１５０がデジタルカメラ１００と通信を行う為の通信端子である。レンズユニット１５０は、この通信端子６と前述の通信端子１０を介してシステム制御部５０と通信し、内部のレンズシステム制御回路４によって絞り駆動回路２を介して絞り１の制御を行い、ＡＦ駆動回路３を介して、レンズ１０３を変位させることで焦点を合わせる。
【００２６】
シャッター１０１は、システム制御部５０の制御で撮像部２２の露光時間を自由に制御できるフォーカルプレーンシャッターである。
【００２７】
撮像部２２は光学像を電気信号に変換するＣＣＤやＣＭＯＳ素子等で構成される撮像素子である。Ａ／Ｄ変換器２３は、撮像部２２から出力されるアナログ信号をデジタル信号に変換するために用いられる。
【００２８】
画像処理部２４は、Ａ／Ｄ変換器２３からのデータ、または、後述するメモリ制御部１５からのデータに対し所定の画素補間、縮小といったリサイズ処理や色変換処理を行う。また、画像処理部２４では、撮像した画像データを用いて所定の演算処理を行う。画像処理部２４により得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理を行う。
【００２９】
メモリ制御部１５は、Ａ／Ｄ変換器２３、画像処理部２４、メモリ３２間のデータ送受を制御する。Ａ／Ｄ変換器２３からの出力データは、画像処理部２４およびメモリ制御部１５を介して、あるいは、メモリ制御部１５を介してメモリ３２に直接書き込まれる。メモリ３２は、撮像部２２によって得られＡ／Ｄ変換器２３によりデジタルデータに変換された画像データや、表示部２８、ＥＶＦ２９に表示するための画像データを格納する。メモリ３２は、所定枚数の静止画像や所定時間の動画像および音声を格納するのに十分な記憶容量を備えている。
【００３０】
また、メモリ３２は画像表示用のメモリ（ビデオメモリ）を兼ねている。メモリ３２に書き込まれた表示用の画像データはメモリ制御部１５を介して表示部２８、ＥＶＦ２９により表示される。表示部２８、ＥＶＦ２９は、ＬＣＤや有機ＥＬ等の表示器上に、メモリ制御部１５からの信号に応じた表示を行う。Ａ／Ｄ変換器２３によってＡ／Ｄ変換されメモリ３２に蓄積されたデータを、表示部２８またはＥＶＦ２９に逐次転送して表示することで、ライブビュー表示（ＬＶ表示）を行える。以下、ライブビューで表示される画像をライブビュー画像（ＬＶ画像）と称する。
【００３１】
赤外発光ダイオード１６６は、ファインダー画面内におけるユーザの視線位置を検出するための発光素子であり、ユーザの眼球（目）１６１に赤外光を照射する。赤外発光ダイオード１６６から発した赤外光は眼球（目）１６１で反射し、その赤外反射光はダイクロイックミラー１６２に到達する。ダイクロイックミラー１６２は赤外光だけを反射して可視光を透過させる。光路を変更された赤外反射光は、結像レンズ１６３を介して視線検知センサー１６４の撮像面に結像する。結像レンズ１６３は視線検知光学系を構成する光学部材である。視線検知センサー１６４は、ＣＣＤ型イメージセンサ等の撮像デバイスから成る。
【００３２】
視線検知センサー１６４は、入射された赤外反射光を電気信号に光電変換して視線検出回路１６５へ出力する。視線検出回路１６５は、視線検知センサー１６４の出力信号に基づき、ユーザの眼球（目）１６１の動きからユーザの視線位置を検出し、検出情報をシステム制御部５０および注視判定部１７０に出力する。このようにダイクロイックミラー１６２、結像レンズ１６３、視線検知センサー１６４、赤外発光ダイオード１６６、視線検出回路１６５により視線検出手段１６０が構成され、接眼部１６は視線操作部としての機能を有する。これ以外の視線検出手段の構成としてもよい。
【００３３】
注視判定部１７０は所定の閾値を有しており、視線検出回路１６５から受け取った検出情報を元に、撮影者の視線がある領域に固定されている時間が前記所定の閾値を越えた場合に、その領域を注視していると判定する。なお、前記所定の閾値は任意に変更可能である。
【００３４】
ファインダー外表示部４３には、ファインダー外表示部駆動回路４４を介して、シャッター速度や絞りをはじめとするカメラの様々な設定値が表示される。
【００３５】
不揮発性メモリ５６は、電気的に消去・記録可能なメモリであり、例えばＦｌａｓｈ−ＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００３６】
システム制御部５０は、少なくとも１つのプロセッサーまたは回路からなる制御部であり、デジタルカメラ１００全体を制御する。前述した不揮発性メモリ５６に記録されたプログラムを実行することで、後述する本実施形態の各処理を実現する。システムメモリ５２には、例えばＲＡＭが用いられ、システム制御部５０の動作用の定数、変数、不揮発性メモリ５６から読み出したプログラム等が展開される。また、システム制御部５０はメモリ３２、表示部２８等を制御することにより表示制御も行う。
【００３７】
システムタイマー５３は各種制御に用いる時間や、内蔵された時計の時間を計測する計時部である。
【００３８】
モード切替スイッチ６０、操作部７０はシステム制御部５０に各種の動作指示を入力するための操作手段である。モード切替スイッチ６０は、システム制御部５０の動作モードを静止画撮影モード、動画撮影モード等のいずれかに切り替える。静止画撮影モードに含まれるモードとして、オート撮影モード、オートシーン判別モード、マニュアルモード、絞り優先モード（Ａｖモード）、シャッター速度優先モード（Ｔｖモード）、プログラムＡＥモード（Ｐモード）、がある。また、撮影シーン別の撮影設定となる各種シーンモード、カスタムモード等がある。モード切替スイッチ６０により、ユーザは、これらのモードのいずれかに直接切り替えることができる。あるいは、モード切替スイッチ６０で撮影モードの一覧画面に一旦切り換えた後に、表示された複数のモードのいずれかを選択し、他の操作部材を用いて切り替えるようにしてもよい。同様に、動画撮影モードにも複数のモードが含まれていてもよい。
【００３９】
第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の撮影準備動作を開始する。
【００４０】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから撮像された画像を画像ファイルとして記録媒体２００に書き込むまでの一連の撮影処理の動作を開始する。
【００４１】
操作部７０は、ユーザからの操作を受け付ける入力部としての各種操作部材である。操作部７０には、タッチパネル７０ａとクイックメニューボタン７０ｃのほかに少なくとも以下の操作部が含まれる。シャッターボタン６１、メイン電子ダイヤル７１、電源スイッチ７２、サブ電子ダイヤル７３、十字キー７４、ＳＥＴボタン７５、動画ボタン７６、ＡＥロックボタン７７、拡大ボタン７８、再生ボタン７９、メニューボタン８１。
【００４２】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。電源部３０は、アルカリ電池やリチウム電池等の一次電池やＮｉＣｄ電池やＮｉＭＨ電池、Ｌｉ電池等の二次電池、ＡＣアダプター等からなる。
【００４３】
記録媒体Ｉ／Ｆ１８は、メモリカードやハードディスク等の記録媒体２００とのインターフェースである。記録媒体２００は、撮影された画像を記録するためのメモリカード等の記録媒体であり、半導体メモリや磁気ディスク等から構成される。
【００４４】
通信部５４は、無線または有線ケーブルによって接続し、映像信号や音声信号の送受信を行う。通信部５４は無線ＬＡＮ（Ｌｏｃａｌ  Ａｒｅａ  Ｎｅｔｗｏｒｋ）やインターネットとも接続可能である。また、通信部５４は、Ｂｌｕｅｔｏｏｔｈ（登録商標）や  Ｂｌｕｅｔｏｏｔｈ  Ｌｏｗ  Ｅｎｅｒｇｙでも外部機器と通信可能である。通信部５４は撮像部２２で撮像した画像（ＬＶ画像を含む）や、記録媒体２００に記録された画像を送信可能であり、また、外部機器から画像やその他の各種情報を受信することができる。
【００４５】
姿勢検知部５５は重力方向に対するデジタルカメラ１００の姿勢を検知する。姿勢検知部５５で検知された姿勢に基づいて、撮像部２２で撮影された画像が、デジタルカメラ１００を横に構えて撮影された画像であるか、縦に構えて撮影された画像であるかを判別可能である。システム制御部５０は、姿勢検知部５５で検知された姿勢に応じた向き情報を撮像部２２で撮像された画像の画像ファイルに付加したり、画像を回転して記録したりすることが可能である。姿勢検知部５５としては、加速度センサーやジャイロセンサーなどを用いることができる。姿勢検知部５５である、加速度センサーやジャイロセンサーを用いて、デジタルカメラ１００の動き（パン、チルト、持ち上げ、静止しているか否か等）を検知することも可能である。
【００４６】
接眼検知部５７はファインダーの接眼部１６に対する目（物体）１６１の接近（接眼）および離脱（離眼）を検知する（接近検知）、接眼検知センサーである。システム制御部５０は、接眼検知部５７で検知された状態に応じて、表示部２８とＥＶＦ２９の表示（表示状態）／非表示（非表示状態）を切り替える。より具体的には、少なくとも撮影待機状態で、かつ、表示先の切替が自動切替である場合において、非接眼中は表示先を表示部２８として表示をオンとし、ＥＶＦ２９は非表示とする。
【００４７】
また、接眼中は表示先をＥＶＦ２９として表示をオンとし、表示部２９は非表示とする。接眼検知部５７は、例えば赤外線近接センサーを用いることができ、ＥＶＦ２９を内蔵するファインダーの接眼部１６への何らかの物体の接近を検知することができる。物体が接近した場合は、接眼検知部５７の投光部（図示せず）から投光した赤外線が反射して赤外線近接センサーの受光部（図示せず）に受光される。受光された赤外線の量によって、物体が接眼部１６からどの距離まで近づいているか（接眼距離）も判別することができる。このように、接眼検知部５７は、接眼部１６への物体の近接距離を検知する接近検知を行う。非接眼状態（非接近状態）から、接眼部１６に対して所定距離以内に近づく物体が検出された場合に、接眼されたと検出するものとする。接眼状態（接近状態）から、接近を検知していた物体が所定距離以上離れた場合に、離眼されたと検出するものとする。接眼を検出する閾値と、離眼を検出する閾値は例えばヒステリシスを設けるなどして異なっていてもよい。また、接眼を検出した後は、離眼を検出するまでは接眼状態であるものとする。離眼を検出した後は、接眼を検出するまでは非接眼状態であるものとする。なお、赤外線近接センサーは一例であって、接眼検知部５７には、接眼とみなせる目や物体の接近を検知できるものであれば他のセンサーを採用してもよい。
【００４８】
視線入力設定部１６７は、視線検出回路１６５による視線検出の有効または無効を設定する。あるいは、システム制御部５０の視線入力による処理の有効または無効を設定する。例えば、メニュー設定にてユーザーが設定可能なものとする。システム制御部５０は接眼部１６への以下の操作、あるいは状態を検出できる。
・接眼部１６へ入力されていなかった視線が新たに接眼部１６に入力されたこと。すなわち、視線入力の開始。
・接眼部１６へ視線入力している状態であること。
・接眼部１６へ注視している状態であること。
・接眼部１６へ入力していた視線を外したこと。すなわち、視線入力の終了。
・接眼部１６へ何も視線入力していない状態。
【００４９】
これらの操作・状態や、接眼部１６上に視線が入力している位置は内部バスを通じてシステム制御部５０に通知され、システム制御部５０は通知された情報に基づいて接眼部１６上にどのような操作（視線操作）が行なわれたかを判定する。
【００５０】
タッチパネル７０ａと表示部２８とは一体的に構成することができる。例えば、タッチパネル７０ａは光の透過率が表示部２８の表示を妨げないように構成され、表示部２８の表示面の上層に取り付けられる。そして、タッチパネル７０ａにおける入力座標と、表示部２８の表示画面上の表示座標とを対応付ける。これにより、あたかもユーザが表示部２８上に表示された画面を直接的に操作可能であるかのようなＧＵＩ（グラフィカルユーザーインターフェース）を提供できる。システム制御部５０はタッチパネル７０ａへの指やペンでのタッチの開始、タッチしている状態、タッチの移動、タッチを話すことなどを検出できる。
【００５１】
タッチパネル７０ａは、抵抗膜方式や静電容量方式、表面弾性波方式、赤外線方式、電磁誘導方式、画像認識方式、光センサー方式等、様々な方式のタッチパネルのうちいずれの方式のものを用いても良い。方式によって、タッチパネルに対する接触があったことでタッチがあったと検出する方式や、タッチパネルに対する指やペンの接近があったことでタッチがあったと検出する方式があるが、いずれの方式でもよい。
【００５２】
図３（ａ）は本実施形態における撮像部２２の構成に関する図であり、図３（ｂ）は画素３０２周辺の詳細構成図である。図３（ａ）（ｂ）を参照して撮像部２２の構成に関して簡単に説明する。画素領域３０１には、複数の光電変換部を含む画素３０２が、水平及び垂直方向に行列状態に配列されている。これがひとつひとつの画素を表す。画素領域３０１には画素３０２を行列状に４×４画素のみ配置させているが、実際の撮像素子は、このような画素が数千万画素配置されている。垂直出力線３１１には、垂直方向に複数の画素が接続されている。各垂直出力線３１１毎に列回路３０６が接続される。列回路３０６には、ＡＤ変換、ラッチ、メモリなどを備え、アナログ信号をデジタル信号として保持することを行っている。また、垂直出力線３１１と列回路３０６との間に増幅アンプを設けることで、アナログ信号段階でゲインをかけてからデジタル信号に変換してもよい。列回路３０６の出力、メモリに保持された各デジタル信号は、水平走査回路３０４によって順次選択され、水平方向の画素数に応じたデータ数が信号処理部３０７に入力される。タイミングジェネレータ（ＴＧ）３０５は、垂直走査回路３０３、水平走査回路３０４、列回路３０６、信号処理部３０７それぞれに対して生成した制御信号を供給する。
【００５３】
図４（ａ）、（ｂ）は、ライブビュー画像の表示のフレームレートについて説明するための図である。図４（ａ）は、１２０ＨＺの場合の表示部２８／ＥＶＦ２９への同期信号ＶＤと、撮像部２２への画像の読み出し期間を示しており、図４（ｂ）は、６０ＨＺの場合の表示部２８／ＥＶＦ２９への同期信号ＶＤと、撮像部２２への画像の読み出し期間を示している。同期信号ＶＤは、表示の更新のタイミングを示している。画像読み出し期間は、実際の画像読み出し期間と撮像部２２の関係とを示している。それぞれ横軸は時間を示しており、画像読み出し期間の縦軸は撮像部２２の行方向を示している。例えば、通常のライブビュー画像のフレームレートが１２０ＨＺである場合には、フレームレートを６０ＨＺにすれば表示の更新をする処理が半分になり、消費電力の削減が可能となる。フレームレートは上述したものに限らないことは言うまでもないし、フレームレートを削減する場合には半分でなくても、もともとのフレームレートより小さければよい。表示部２８／ＥＶＦ２９での表示の更新のタイミングを制御してもよいし、撮像部２２側の画像の読み出し（取得）のタイミングを制御することでフレームレートを変更してもよい。
【００５４】
以下、図５、図６を用いて、本実施形態におけるライブビュー画像の表示制御処理を説明する。
【００５５】
図６のフローチャートにおける各処理は、システム制御部５０が、不揮発性メモリ５６に格納されたプログラムをシステムメモリ５２に展開して実行し、各機能ブロックを制御することにより実現される。図６のフローチャートは、デジタルカメラ１００が起動し、図５（ａ）に示すように表示部２８またはＥＶＦ２９にライブビュー画像（ＬＶ画像）が表示されると開始する。このときのＬＶ画像の表示のフレームレートをＡとする。
【００５６】
ステップＳ６０１では、システム制御部５０は、表示部２８またはＥＶＦ２９へのＬＶ表示中にＱボタン７０ｃが押下され、クイックメニューが表示されたかどうかを判定する。Ｑボタン７０ｃが押下（表示指示が受付）されると、図５（ｂ）に示すようなクイックメニューが表示部２８またはＥＶＦ２９に表示される。ＥＶＦ２９へのＬＶ画像の表示中にクイックメニューが表示されれば、ステップＳ６０２に進み、ＥＶＦ２９へのＬＶ画像の表示中にクイックメニューが表示されなければステップＳ６０６に進む。表示部２８へのＬＶ画像の表示中にクイックメニューが表示された場合には、ステップＳ６０７に進み、表示部２８へのＬＶ画像の表示中にクイックメニューが表示されなければステップＳ６０６に進む。
【００５７】
ステップＳ６０２では、システム制御部５０は、ＥＶＦ２９に表示されているクイックメニュー上に視線入力があるかを判定する。ステップＳ６０２の判定は、視線検出回路１６５により行う。視線入力ありの場合はステップＳ６０３へ進み、そうでない場合はステップＳ６０７へ進む。ステップＳ６０２での視線入力に関して、図５（ｂ）、（ｃ）を参照して説明する。図５（ｂ）のようにクイックメニューが表示された後、設定を行う場合にはユーザは視線をメニュー上に移す。本実施形態のステップＳ６０２でクイックメニュー上に注視があるかの判定は、図５（ｃ）の斜線部分に注視があるかを検出／検知することで行う。もちろん、中止があるかを判定する領域は、メニュー構成などによって形や面積が変わる。また、上述している注視というのは項目の表示された領域だけに対してでもよいし、項目の表示された領域を含むその周辺部分を含めてもよい。斜線部分を注視しているということは、ユーザはＬＶ画像の表示に注目している可能性が高いため、ステップＳ６０３でフレームレートを落とす処理を行う。これにより、消費電力を削減することができる。なお、ユーザの表示部２８への視線を検出可能な撮像部を表示部２８側に設けている場合には、Ｓ６０２の処理を表示部２８にＬＶ画像が表示されている場合にも行ってよい。このように、ユーザの視線入力を検出することで、より正確にユーザがＬＶ画像の表示の滑らかさを求めているか否かを判別し、ユーザが求めていない可能性の高い場合には省電力を行うようになっている。
【００５８】
ステップＳ６０３では、システム制御部５０は、表示部２８またはＥＶＦ２９に表示するＬＶ画像のフレームレートを図６のフローチャートの開始時よりも遅いＢにする。つまり、Ａ＞Ｂの関係が成り立つ。
【００５９】
ステップＳ６０４では、システム制御部５０は、表示部２８またはＥＶＦ２９へのクイックメニューの表示が継続されているか否かを判定する。クイックメニューの表示が継続されていれば、ステップＳ６０８へ進み、そうでなければステップＳ６０５に進む。クイックメニューの表示は、図５（ｂ）の戻る５０８を選択することにより、停止することができる。ステップＳ６０４においては、クイックメニューの表示が継続されていないと判定してもよいし、カーソルが戻る５０８へと移動していることに応じてＮｏと判定するようにしてもよい。
【００６０】
ステップＳ６０５では、システム制御部５０は、表示部２８またはＥＶＦ２９へのＬＶ画像を表示するフレームレートを元のＡに戻す。ステップＳ６０４では、クイックメニュー表示が終了し、ユーザがＬＶ画像を見ている可能性が高いため、フレームレートをＡに上げＬＶ画像の視認性を向上させる。なお、ステップＳ６０４においては、ユーザがＬＶ画像上に注視していることを検知したことに応じて、フレームレートを上げてもよいし、ＬＶ画像上を継続して注視している時間に応じて徐々にフレームレートを上げていってもよい。
【００６１】
ステップＳ６０６では、システム制御部５０は、表示部２８またはＥＶＦ２９上でのＬＶ表示が中止されているかを判定し、ＬＶ画像がもう表示されていないと判定された場合は、フローチャートを終了し、そうでない場合はステップＳ６０１に戻る。
【００６２】
ステップＳ６０７では、システム制御部５０は、クイックメニューで画質に関する設定の変更中か否かを判定する。画質に関する設定とは、図５（ｂ）においては記録画質５０１、ホワイトバランス５０２、画像の色合いを変更するピクチャースタイル５０３であり、ステップＳ６０７においては、上記のアイテムが選択された場合にはＹｅｓと判定する。測光モード５０４、アスペクト比５０５、セルフタイマ５０６、ＡＦ方式５０７が選択された場合は、Ｎｏと判定する。なお、図５（ｂ）には不図示だが、シャッタースピード、ＩＳＯ感度が選択された場合にもステップＳ６０７の判定をＹｅｓと判定してもよい。測光モード、アスペクト比、セルフタイマ、ＡＦ方式の設定を行っているときには、被写体の様子を詳細にユーザが見なくても設定に与える影響が小さい。例えば、セルフタイマであれば、被写体の様子や色味をより詳細に知らなくても、もしくは被写体が多少滑らかに動いていなくても、どのくらいの時間が必要かを撮影者が決定できることが多い。ステップＳ６０７において、画質に関する設定の変更中であると判定された場合は、ステップＳ６０３へ進み、そうでない場合はステップＳ６０６へ進む。
【００６３】
ステップＳ６０８では、システム制御部５０は、ステップＳ６０２と同様の判定を行い、Ｙｅｓと判定された場合は、ステップＳ６１０へ進み、そうでない場合はステップＳ６０９へ進む。
【００６４】
ステップＳ６０９では、システム制御部５０は、ステップＳ６０７と同様の判定を行い、Ｙｅｓと判定された場合は、ステップＳ６１０へ進み、そうでない場合はステップＳ６０５へ進む。
【００６５】
ステップＳ６１０では、システム制御部５０は、ステップＳ６０６と同様の判定を行い、Ｙｅｓと判定された場合は、図６のフローチャートを終了し、そうでない場合はステップＳ６０１へ進む。
【００６６】
以上、説明した実施形態によれば、ユーザがＬＶ画像を見ているときの視認性を低下させることなく、電力の消費を低減することができる。
【００６７】
なお、上述の実施形態においては、表示フレームレートを遅くすることを説明したが、撮像部２２から読み出す画素３０２を画素ごと、行ごとなどで間引くことで読み出し量を少なくして省電力を行ってもよい。
【００６８】
なお、ステップＳ６０２、ステップＳ６０８における判定においては、ＥＶＦ２９に表示がされている際には、図５（ｄ）に示すようにクイックメニューの画質に関する設定にユーザが注視しているか否かを判定してもよい。もしくは、図５（ｅ）に示すようにクイックメニューの子階層の項目を注視しているか否かを判定してもよい。上述した実施形態においては、ＬＶ画像が表示部２８に表示されている場合には、ステップＳ６０１（６０４）とステップＳ６０７（６０９）の判定の結果、フレームレートを変えるか否かを決めていた。しかし、ステップＳ６０２（６０８）の判定だけで、フレームレートを変えるか否かを決めてもよいし、もともとメニュー項目の表示されているような画面の場合には、ステップＳ６０７（６０９）の判定だけで、フレームレートを変えるか否かを決めてもよい。
【００６９】
また、上述した実施形態においては、ＬＶ画像がＥＶＦ２９に表示されている場合には、ステップＳ６０１（６０４）と、ステップＳ６０２（６０８）と、ステップＳ６０７（６０９）の判定の結果、フレームレートを変えるか否かを決めていた。しかし、上述の３つの判定を全て行わなくても、いずれか１つの判定、もしくはいずれかの組み合わせの判定によって、フレームレートを変えるか否かを決めてもよい。例えば、もともとメニュー項目の表示されているような画面の場合には、ステップＳ６０７（６０９）の判定だけで、フレームレートを変えるか否かを決めてもよい。
【００７０】
接眼した状態から非接眼状態になったことの検知と、姿勢検知部５５によりデジタルカメラ１００の姿勢が下向き（レンズユニット１５０の撮像方向が地面向き）になったことが検知されたことに応じて、フレームレートを遅くしてもよい。ユーザがファインダを覗いた状態から、目を離してデジタルカメラ１００を下向きにした場合にはユーザが設定の変更を行おうとしている可能性が高い。このとき、ユーザが撮影をしようとしている被写体を見ようとしていない可能性が高く、設定項目を見ようとしている可能性が高いので、フレームレートを遅くすること省電をすることができる。
【００７１】
さらに、表示部２８またはＥＶＦ２９にＬＶ画像が表示されている場合に、クイックメニューが表示されていても、ＡＦ枠の移動を行っている場合にはフレームレートを早くする。ＡＦ枠の移動は、例えば、タッチパネル７０ａにおいてユーザがタッチ操作をする、または十字キー７４への各方向キーへの操作によって行うことができる。
【００７２】
上述した実施形態においては、ステップＳ６０２（６０８）において、ユーザがクイックメニューを注視しているか否かを判定することを説明した。これに限らず、注視の時間に応じてフレームレートを遅くしていってもよい。ＬＶ画像の注視の時間に応じてフレームレートを早くしていってもよい。
【００７３】
クイックメニュー項目は、表示された項目に対する選択操作によって、設定値の変更を行うことができる。ＬＶ画像に現在の時間や、撮影可能枚数といった、表示された項目を選択しても設定値の変更操作ができないような場合には、項目の表示がされてもフレームレートを変更しないようにしてもよい。
【００７４】
なお、システム制御部５０が行うものとして説明した上述の各種の制御は１つのハードウェアが行ってもよいし、複数のハードウェアが処理を分担することで、装置全体の制御を行ってもよい。
【００７５】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００７６】
また、上述した実施形態においては、本発明をデジタルカメラ１００に適用した場合を例にして説明したが、これはこの例に限定されず、フレームレートを変更する制御が可能な表示制御装置であれば適用可能である。例えばカメラ付きのヘッドマウントディスプレイ等のウェアラブル機器、携帯電話、ゲーム機、電子ブックリーダーなどにも適用可能である。また、省電を実現するために、撮像部２２からの読み出し時に、加算などで情報量を減らす，読み出しのビット長を減らすなどを行っても良いし、表示方法としてはプログレッシブからダブラーやインターレースにするということで省電を行ってもよい。
【００７７】
（他の実施形態）
本発明は、以下の処理を実行することによっても実現される。即ち、上述した実施形態の機能を実現するソフトウェア（プログラム）をネットワーク又は各種記録媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記録媒体は本発明を構成することになる。
【図１】
2020178273.tif 000003
【図２】
2020178273.tif 000004
【図３】
2020178273.tif 000005
【図４】
2020178273.tif 000006
【図５】
2020178273.tif 000007
【図６】
2020178273.tif 000008